(57)【要約】  【課題】スライダに把持部を備えながら、配線基板上における専有面積の増大を防止することができるコネクタを提供する。  【解決手段】コネクタ１は、金属製の複数のコンタクト３と、それらのコンタクト３を保持する樹脂製のハウジング４と、このハウジング４に対して前後方向にスライド可能に設けられ、ＦＰＣを複数のコンタクト３に押し付けるための樹脂製のスライダ５とを備えている。各把持部５２は、幅方向外側の端面がハウジング４の幅方向両外側面とほぼ面一となるように形成されており、ハウジング４の幅方向両外側に突出していない。また、ハウジング４は、各把持部５２と前後方向（スライダ５の挿抜方向）に対向する部分が切り欠かれている。【選択図】        図１
2006048951.tif 000002
【特許請求の範囲】
【請求項１】
配線基板上に実装され、その配線基板に平形で薄手の電気接続部材を電気接続するためのコネクタであって、
配線基板に接合されるコンタクトと、
このコンタクトを保持するハウジングと、
このハウジングに対して挿抜可能に設けられるスライダとを含み、
上記スライダは、上記ハウジングに対する上記スライダの挿抜方向に直交する幅方向に延び、上記ハウジングに挿入された状態において、電気接続部材を上記コンタクトに押し付けるための押圧板と、この押圧板の幅方向両端部から幅方向外側にそれぞれ延び、当該スライダの挿抜時に把持される把持部とを備えており、
上記各把持部の幅方向外側の端面が、上記ハウジングの幅方向外両側面とそれぞれほぼ面一に配置されていることを特徴とするコネクタ。
【請求項２】
上記ハウジングは、上記各把持部と上記スライダの挿抜方向に対向する部分が切り欠かれていることを特徴とする請求項１記載のコネクタ。
【発明の詳細な説明】
【技術分野】
【０００１】
この発明は、ＦＰＣ（Flexible Printed Circuit：フレキシブルプリント回路）やＦＦＣ（Flexible Flat Cable）などの平形で薄手の電気接続部材を配線基板に接続するためのコネクタに関する。
【背景技術】
【０００２】
従来から、配線基板に実装され、その配線基板にＦＰＣなどの平形で薄手の電気接続部材を接続するためのコネクタが知られている。この種のコネクタは、複数のコンタクトを保持するハウジングと、ハウジングに対してスライド可能に設けられ、フレキシブル配線板をコンタクトに押圧するためのスライダと、このスライダをフレキシブル配線板に押圧力を与える位置（ハウジングに押し込まれた状態）で保持するためのロック機構とを備えている。
【０００３】
スライダは、ハウジング内に挿入される略長方形板状の与圧壁と、この与圧壁の長手方向両側面から長手方向外側に突出する把持部とを備えている（たとえば、特許文献１参照）。そして、両把持部に指（親指、人差し指）を掛け、スライダを両指で摘んで、スライダをハウジングに対して挿抜させることができる。
【特許文献１】特開平１１−２０４２１３号公報
【発明の開示】
【発明が解決しようとする課題】
【０００４】
ところが、スライダに把持部が設けられていると、コネクタ全体のサイズが大きくなり、配線基板上におけるコネクタの専有面積が大きくなる。
そこで、この発明の目的は、スライダに把持部を備えながら、配線基板上における専有面積の増大を防止することができるコネクタを提供することである。
【課題を解決するための手段】
【０００５】
上記の目的を達成するための請求項１記載の発明は、配線基板上に実装され、その配線基板に平形で薄手の電気接続部材を電気接続するためのコネクタであって、配線基板に接合されるコンタクトと、このコンタクトを保持するハウジングと、このハウジングに対して挿抜可能に設けられるスライダとを含み、上記スライダは、上記ハウジングに対する上記スライダの挿抜方向に直交する幅方向に延び、上記ハウジングに挿入された状態において、電気接続部材を上記コンタクトに押し付けるための押圧板と、この押圧板の幅方向両端部から幅方向外側にそれぞれ延び、当該スライダの挿抜時に把持される把持部とを備えており、上記各把持部の幅方向外側の端面が、上記ハウジングの幅方向外両側面とそれぞれほぼ面一に配置されていることを特徴とするコネクタである。
【０００６】
この発明によれば、スライダに備えられる各把持部は、幅方向外側の端面がハウジングの幅方向両外側面とほぼ面一となるように形成されている。言い換えれば、各把持部は、ハウジングの幅方向両外側に突出していない。そのため、このコネクタが配線基板に実装されたときに、そのコネクタの幅方向において、各把持部が配線基板上に配置スペースを専有することを防止できる。その結果、配線基板上におけるコネクタの専有面積を小さくすることができる。
【０００７】
請求項２記載の発明は、上記ハウジングは、上記各把持部と上記スライダの挿抜方向に対向する部分が切り欠かれていることを特徴とする請求項１記載のコネクタである。
この発明によれば、ハウジングは、各把持部とスライダの挿抜方向に対向する部分が切り欠かれているので、両把持部にそれぞれ指を掛けたときに、ハウジングに指が掛かることを防止できる。そのため、スライダをハウジングに対して挿抜させるときの操作性を向上させることができる。
【発明を実施するための最良の形態】
【０００８】
以下では、この発明の実施の形態を、添付図面を参照して詳細に説明する。
図１および図２は、この発明の一実施形態に係るコネクタの構成を示す斜視図である。また、図３は、図１に示すコネクタの分解斜視図である。このコネクタ１は、配線基板（図示せず）に実装されて、その配線基板に電気接続部材としてのＦＰＣ（Flexible Printed Circuit：フレキシブルプリント回路）２（図６参照）を電気的に接続するためのものであり、金属製の複数のコンタクト３と、それらのコンタクト３を保持する樹脂製のハウジング４と、このハウジング４に対して前後方向にスライド可能に設けられ、ＦＰＣ２を複数のコンタクト３に押し付けるための樹脂製のスライダ５と、複数のコンタクト３の配線基板に対する接続を補強するための金属製の補強タブ６とを備えている。
【０００９】
コンタクト３は、たとえば、金属板を打ち抜いて形成され、互いに対向する弾性片部３１および固定片部３２と、これらの弾性片部３１および固定片部３２を結合する基端部３３と、この基端部３３に連結された略Ｌ字状のリード部３４とを有している。各コンタクト３のリード部３４が、配線基板のランドに半田接合される。また、弾性片部３１は、固定片部３２に対して近接／離間する方向に弾性的に揺動可能であり、その先端部には、ＦＰＣ２に接触する接触部３５が形成されている。
【００１０】
ハウジング４は、略直方体形状に形成されており、複数のコンタクト３を横並びに保持する。より具体的には、ハウジング４は、それぞれ略長方形板状に形成され、上下方向に所定間隔を空けて対向する上板部４１および下板部４２と、上板部４１と下板部４２との間において、ハウジング４の長手方向（以下「幅方向」という。）に間隔を空けて対向配置される側壁部４３と、各側壁部４３に対して幅方向外側に間隔を空けて対向配置される補強タブ挟持部４４とを一体的に備えている。
【００１１】
下板部４２には、各コンタクト３の固定片部３２が嵌合される嵌合溝４２１が、両側壁部４３の間において、幅方向にほぼ等間隔を空けて、それぞれ前後方向（スライダ５の挿抜方向）に延びて形成されている。各嵌合溝４２１にコンタクト３の固定片部３２が嵌合されることによって、複数のコンタクト３が、ハウジング４の前後方向に沿う姿勢で、ほぼ等間隔を空けて幅方向に並べて設けられる。また、上板部４１には、各コンタクト３の弾性片部３１の先端部と対向する位置に、弾性片部３１の弾性変形時にその先端部を逃がすための切欠溝４１１が形成されている。
【００１２】
各補強タブ挟持部４４は、上板部４１および下板部４２よりも前後方向の長さが短く形成されており、ハウジング４の両側面を形成する外側壁部４４１と、この外側壁部４４１に対して長手方向内側から対向する内側壁部４４２との間で、補強タブ６の後述する被挟持部６２を挟持する。また、各補強タブ挟持部４４は、外側壁部４４１の前端から手前側（スライダ５の後述する把持部５２に向けて）に突出して形成された倒れ防止部４４３を備えている。さらに、内側壁部４４２の側壁部４３と対向する面には、幅方向内側に向けて膨出する膨出部４４４（図４または図５参照）が形成されている。
【００１３】
スライダ５は、ハウジング４の長手方向に沿って延び、各コンタクト３の弾性片部３１と固定片部３２との間に挿入される略長方形板状の押圧板５１と、この押圧板５１の幅方向両端部から幅方向外側にそれぞれ延びる把持部５２と、各把持部５２から押圧板５１とほぼ平行に延びる１対の挿入アーム５３とを一体的に備えている。両把持部５２にそれぞれ指を掛けて、スライダ５を両指で摘んで、スライダ５をハウジングに対して挿抜させることができる。
【００１４】
各把持部５２は、幅方向外側の端面がハウジング４の幅方向両外側面（各外側壁部４４１の幅方向外側面）とほぼ面一となるように形成されており、ハウジング４の幅方向両外側に突出していない。そのため、このコネクタ１が配線基板に実装されたときに、そのコネクタ１の幅方向において、各把持部５２が配線基板上に配置スペースを専有することを防止できる。その結果、配線基板上におけるコネクタ１の専有面積を小さくすることができる。
【００１５】
各挿入アーム５３は、ハウジング４の各側壁部４３とそれに対向する補強タブ挟持部４４の内側壁部４４２との間に挿入される。各挿入アーム５３の幅方向外側面（内側壁部４４２と対向する面）には、平面視略三角形状の係止部５３１が、幅方向外側に突出して形成されている。
補強タブ６は、幅方向に直交する板状のタブ本体６１と、このタブ本体６１から奥側（ハウジング４の内側）に向けて延び、補強タブ挟持部４４に挟持される被挟持部６２と、タブ本体６１の下端縁から幅方向外側に向けて屈曲し、幅方向外側に延びる矩形板状の半田付け部６３とを備えている。そして、半田付け部６３が配線基板に半田付けされることによって、複数のコンタクト３の配線基板に対する接続を補強することができ、このコネクタ１が配設基板から脱落することを防止できる。
【００１６】
また、タブ本体６１には、略コ字状に切り抜くことによって、タブ本体６１の前端部から幅方向内側かつ奥側に向けて斜めに延びる脱落防止片６４が形成されている。この脱落防止片６４は、幅方向に弾性変形可能であり、その先端両角部６４１，６４２が面取りされている。
図１または図２に示すように、タブ本体６１、半田付け部６３および脱落防止片６４は、補強タブ挟持部４４と把持部５２との間において露出している。言い換えれば、ハウジング４は、平面視において幅方向両端部が切り欠かれた形状を有し、その切り欠かれた部分において、タブ本体６１、半田付け部６３および脱落防止片６４が露出している。これにより、半田付け部６３の配線基板に対する半田付けを容易に行うことができ、このコネクタ１の配線基板への実装にかかる手間を軽減することができる。また、両補強タブ６の間隔を簡単に計測することができるので、両補強タブ６の間隔（一方の脱落防止片６４の先端と他方の脱落防止片６４の先端との間の間隔）を精度よく管理することができる。さらに、両把持部５２にそれぞれ指を掛けたときに、ハウジング４に指が掛かることを防止できる。そのため、スライダ５をハウジング４に対して挿抜させるときの操作性を向上させることができる。
【００１７】
さらにまた、このコネクタ１では、各半田付け部６３の幅方向外側端縁が、ハウジング４の幅方向両外側面よりも幅方向内側に位置している。そのため、このコネクタ１が配線基板に実装されたときに、配線基板上においてハウジング４が専有するスペース内に、各半田付け部６３を配置することができる。よって、半田付け部６３を備えながら、配線基板上におけるコネクタ１の専有面積の増大を防止することができる。
【００１８】
このような構成のコネクタ１は、各コンタクト３の固定片部３２をハウジング４の各嵌合溝４２１に嵌合させて、各コンタクト３をハウジング４に保持させるとともに、ハウジング４の手前側から、各補強タブ６の被挟持部６２を各補強タブ挟持部４４の外側壁部４４１と内側壁部４４２との間に挿入し、さらに、スライダ５の各挿入アーム５３をハウジング４の各側壁部４３とそれに対向する補強タブ挟持部４４の内側壁部４４２との間に挿入することによって組み立てられる。
【００１９】
このとき、スライダ５の各挿入アーム５３は、図４に示すように、係止部５３１が補強タブ６の脱落防止片６４に当接し、脱落防止片６４を幅方向外側に向けて押圧することによって弾性変形させながら、側壁部４３と内側壁部４４２との間に挿入されていく。そのため、スライダ５の装着時には、各挿入アーム５３の係止部５３１と脱落防止片６４との摺擦によって、樹脂製の各挿入アーム５３の係止部５３１が削られるおそれがある。そこで、このコネクタ１では、脱落防止片６４において、スライダ５の装着時に挿入アーム５３と当接する角部６４１が面取りされている。これによって、脱落防止片６４の摺擦による各挿入アーム５３の削れを防止することができる。
【００２０】
スライダ５をハウジング４の最奥まで挿入すると、図５（ａ）に示すように、各挿入アーム５３の係止部５３１が膨出部４４４の奥側に位置する。そして、この状態からスライダ５が引き出されるときには、図５（ｂ）に示すように、各挿入アーム５３が弾性変形し、係止部５３１が膨出部４４４を乗り越えることになる。これにより、スライダ５が不用意に引き出されることを防止でき、コネクタ１からのＦＰＣ２の不所望な抜けを防止することができる。
【００２１】
そして、各挿入アーム５３の係止部５３１が膨出部４４４を乗り越えると、図５（ｃ）に示すように、各係止部５３１が各補強タブ６の脱落防止片６４の角部６４２に当接し、それ以上のスライダ５のスライドが防止される。これにより、スライダ５がハウジング４から脱落することを防止することができる。
また、脱落防止片６４の角部６４２が尖っていると、脱落防止片６４の角部６４２に係止部５３１が当接したときに、その樹脂製の係止部５３１が削れるおそれがある。そこで、このコネクタ１では、脱落防止片６４の角部６４２が面取りされている。これによって、脱落防止片６４の角部６４２の当接による各挿入アーム５３の削れを防止することができる。
【００２２】
さらにまた、各補強タブ６に対して幅方向外側に倒れ防止部４４３が配置されているので、各脱落防止片６４に各挿入アーム５３の係止部５３１が当接した後、スライダ５をさらに引き出そうとしたときに、各補強タブ６のタブ本体６１が幅方向外側に変形することを防止できる。そのため、各脱落防止片６４が各挿入アーム５３の係止部５３１から離脱することを防止でき、ハウジング４からのスライダ５の脱落をより確実に防止することができる。
【００２３】
スライダ５をハウジング４から引き出した状態において、スライダ５の押圧板５１と複数のコンタクト３の弾性片部３１との間に、ＦＰＣ２の端部を挿入し、その後、スライダ５をハウジング４の最奥まで挿入すると、図６に示すように、スライダ５の押圧板５１によってＦＰＣ２が複数のコンタクト３の弾性片部３１に押し付けられる。これにより、複数のコンタクト３とＦＰＣ２の確実な接続を達成することができる。
【００２４】
以上のようにこの実施形態によれば、スライダ５に備えられる各把持部５２は、幅方向外側の端面がハウジング４の幅方向両外側面とほぼ面一となるように形成されており、ハウジング４の幅方向両外側に突出していない。そのため、このコネクタ１が配線基板に実装されたときに、そのコネクタ１の幅方向において、各把持部５２が配線基板上に配置スペースを専有することを防止できる。その結果、配線基板上におけるコネクタ１の専有面積を小さくすることができる。
【００２５】
また、ハウジング４は、各把持部５２と前後方向（スライダ５の挿抜方向）に対向する部分が切り欠かれているので、両把持部５２にそれぞれ指を掛けたときに、ハウジング４に指が掛かることを防止できる。そのため、スライダ５をハウジング４に対して挿抜させるときの操作性を向上させることができる。
以上、この発明の一実施形態を説明したが、この発明は他の形態で実施することもできる。たとえは、上記の実施形態では、ＦＰＣ２の上面がコンタクトと接触する上接点タイプのコネクタ１を取り上げたが、この発明は、ＦＰＣ２がスライダ５によって下方に向けて押されて、ＦＰＣ２の下面がコンタクトと接触する下接点タイプのコネクタに適用することもできる。
【００２６】
また、コネクタ１に接続される電気接続部材としては、ＦＰＣ２に限らず、たとえば、ＦＦＣ（Flexible Flat Cable）であってもよい。
その他、特許請求の範囲に記載された事項の範囲で種々の設計変更を施すことが可能である。
【図面の簡単な説明】
【００２７】
【図１】この発明の一実施形態に係るコネクタの構成を示す斜視図であり、スライダがハウジングに収容された状態を示している。
【図２】コネクタの構成を示す斜視図であり、スライダがハウジングから引き出された状態を示している。
【図３】コネクタの分解斜視図である。
【図４】スライダ装着時の状態を示すコネクタの要部横断面図である。
【図５】スライダ挿抜時の状態を示すコネクタの要部横断面図である。
【図６】ＦＰＣを接続した状態を示すコネクタの縦断面図である。
【符号の説明】
【００２８】
１      コネクタ
３      コンタクト
４      ハウジング
５      スライダ
５２    把持部
【図１】
2006048951.tif 000003
【図２】
2006048951.tif 000004
【図３】
2006048951.tif 000005
【図４】
2006048951.tif 000006
【図５】
2006048951.tif 000007
【図６】
2006048951.tif 000008